(57)【要約】【課題】中継同報配信機能における部分的な中継配信先の指定を可能にした。【解決手段】中継箱３２を用いて中継送信を行うファクシミリ装置を前提とする。画像データ受信し、格納する画像データ格納手段１４。通信手順信号に、所定の識別情報１３が含まれているときに、中継箱３２に登録されている複数の中継配信先のうち、通信手順信号に含まれる配信先指定情報１３により指定された任意の配信先について、格納された画像データを中継送信する。【選択図】    図１
2004207984.tif 000002
【特許請求の範囲】
【請求項１】
所定の識別情報と複数の中継配信先とが登録された複数の中継箱を有するとともに、この中継箱を用いた中継送信するファクシミリ装置において、画像データ受信時、受信した画像データを格納する画像データ格納手段と、所定の通信手順信号に、前記所定の識別情報が含まれているときには、その識別情報を有する前記中継箱に登録されている複数の前記中継配信先のうち、前記通信手順信号に含まれる配信先指定情報により指定された任意の配信先について、前記画像データ格納手段に格納された画像データを中継送信する中継送信手段を備えたことを特徴とするファクシミリ装置。
【請求項２】
請求項１記載のファクシミリ装置において、所定のパスワードを記憶するパスワード記憶手段を備え、通信手順信号でパスワードが運ばれたとき、前記パスワード記憶手段に記憶されているパスワードと一致したときに、アクセスを許可することを特徴とするファクシミリ装置。
【請求項３】
請求項１または２記載のファクシミリ装置において、前記通信手順信号であるＳＵＢ信号内に、前記中継配信先を格納したことを特徴とするファクシミリ装置。
【発明の詳細な説明】
【０００１】
【発明の属する技術分野】
本発明は、ファクシミリ装置に関する。
【０００２】
【従来の技術】
ファクシミリ通信の一形態として、中継同報機能がある。この中継同報機能では、サブアドレス信号に対してメモリボックスを割り当て、中継同報送信を行っている。（例えば、特許文献１参照。）。
【０００３】
図６は、Ｆコード中継同報機能を有するファクシミリ装置の中継箱が２つある中継網の一例を示すブロック図である。
【０００４】
図６において、たとえば、公衆電話網の回線で、指示局ファクシミリ装置６１（以下、指示局という。）と中継局ファクシミリ装置６２（以下、中継局という。）と配信局ファクシミリ装置６３（以下、配信局という。）とが接続されている。配信局６３は、たとえばＡ局、Ｂ局、Ｃ局およびＤ局とからなる。
【０００５】
図に示すように、指示局６１のユーザが、中継局６２を利用して配信局６３（Ａ局、Ｂ局、Ｃ局およびＤ局）に送信原稿（以下、画像データという。）を中継同報通信する場合には、指示局６１に対してユーザが中継箱６４の箱番号「０１」を指定してファクシミリ中継同報送信を行うことによって、指示局６１から中継局６２に対して、中継箱６４の箱番号「０１」に、画像データが送信される。
【０００６】
これに対し、中継局６２は指示局６１から指定された中継箱６４の箱番号「０１」に受信した画像データを一旦、中継箱６４の図示しない画像データ格納手段に格納し、その後、この中継箱６４の箱番号「０１」に予め登録されている配信先の配信局６３（Ａ局、Ｂ局、Ｃ局）に順次、前記格納した画像データを配信する。
【０００７】
なお、配信先は中継箱６４の作成時に設定するため、中継局６２でしか配信先を変更できない。そのために、指示局６１は中継箱６４の箱番号「０１」を指定してしまうと、配信局６３（Ａ局、Ｂ局、Ｃ局）すべてに配信されてしまい、指示局６１では、配信先を指定できない。
【０００８】
【特許文献１】
特開２０００−１０１７６７号公報（第６−８頁、図１）
【０００９】
【発明が解決しようとする課題】
従来、Ｆコード中継同報配信機能には、つぎのような問題があった。
【００１０】
Ｆコード中継同報配信機能では、所定の識別情報を持つ複数の配信先が登録された複数の中継箱から、使用する中継箱の指定のみを行えるだけであり、中継箱内の部分的な配信先の指定ができなかった。そのため、中継箱に登録されている配信先のすべてに画像データが送信され、この画像データを必要としないところに送信され、不都合があった。
【００１１】
また、中継箱で、配信先を設定するようになっているために、配信先をマニュアルで操作できないという不便があった。
【００１２】
本発明の目的は、Ｆコード中継同報配信機能における部分的な中継配信先の指定を可能とするファクシミリ装置を提供することにある。
【００１３】
【課題を解決するための手段】
識別情報と複数の中継配信先とが登録された中継箱を複数を有する。この中継箱を用いて中継送信を行うファクシミリ装置を前提とする。画像データ受信時、受信した画像データを格納する画像データ格納手段と。所定の通信手順信号に、所定の識別情報が含まれているときに、その識別情報を有する前記中継箱に登録されている複数の中継配信先のうち、通信手順信号に含まれる配信先指定情報により指定された任意の配信先について、画像データ格納手段に格納された画像データを中継送信する。
【００１４】
【発明の実施の形態】
以下、本発明の一実施の形態について図面を参照して説明する。
【００１５】
図１は本実施形態に係るファクシミリ装置の要部構成を示す機能ブロック図である。この図に示すように本実施の形態のファクシミリ装置は、ＣＰＵ１１、ＲＯＭ１２、ＲＡＭ１３、画像メモリ１４、符号化・復号化部１５、操作部１６、サブプロセッサ１７、スキャナ１８、プリンタ１９、モデム２０、トランス２１、ベル検出部２２およびタイマ２３を有しており、ＣＰＵ１１、ＲＯＭ１２、ＲＡＭ１３、画像メモリ１４、符号化・復号化部１５、操作部１６、サブプロセッサ１７、モデム２０、ベル検出部２２およびタイマ２３は、システムバス２４を介して互いに接続されている。また、スキャナ１８およびプリンタ１９は、それぞれサブプロセッサ１７に接続されている。
【００１６】
ＣＰＵ１１は、ＲＯＭ１２に格納された制御プログラムに基づいて本ファクシミリ装置の各部を総括制御するための制御処理をおこなうことでファクシミリ装置としての動作を実現する。
【００１７】
ＲＯＭ１２は、ＣＰＵ１１が実行する制御プログラム、および処理プログラムを実行するときに必要な各種データなどを記憶する。
【００１８】
ＲＡＭ１３は、ＣＰＵ１１が各種の処理をおこなう上で必要となる各種の情報および相手先電話番号、中継箱管理情報テーブル、配信用送信管理情報テーブル、マスターコード記憶手段等を記憶する。
【００１９】
画像メモリ１４は、送受信した画像データを格納する画像データ格納手段である。
【００２０】
なお、ＲＡＭ１３および画像メモリ１４は、ハードディスクメモリで構成してもよい。
【００２１】
符号化・復号化部１５は、画像データに対して冗長度圧縮のための符号化処理をするとともに、冗長度圧縮のための符号化されている画像データの復号化をする。
【００２２】
操作部１６は、ユーザによるＣＰＵ１１に対する各種の指示入力を受け付けるためのキー入力部である。また、キー入力部は、操作するために必要な文字キー、ダイヤル用テンキー、メモリダイヤルキー、短縮ダイヤルキー、ワンタッチダイヤルキーおよび各種ファンクションキー等を備える。
【００２３】
サブプロセッサ１７は、ＣＰＵ１１に制御され、スキャナ１８およびプリンタ１９の動作を制御する。
【００２４】
スキャナ１８は、セットされた原稿に形成されている画像を読取とって対応する画像信号を処理し、所定の形態の画像データを生成する。
【００２５】
プリンタ１９は、画像データが示す画像を記録紙に対してプリントする。
【００２６】
モデム２０は、画像データを変調してファクシミリ伝送データを生成するものであり、この生成したファクシミリ伝送データを、トランス２１を介して通信回線へと送り出す。一方、通信回線からトランス２１を介して与えられるファクシミリ伝送データを復調して画像データを再生するものである。
【００２７】
たとえば、Ｇ３ファクシミリのモデム機能を使用する場合には、通信手順信号をやりとりするための低速モデム機能、および、おもに画像データをやりとりするための高速モデム機能を備えている。
【００２８】
ベル検出部２２は、着信時に通信回線を介して呼び出し信号を検出するものである。
【００２９】
タイマ２３は、各種の計時動作をおこなうものである。
【００３０】
本発明のファクシミリ装置は、通信機能として中継同報送信機能を有し、所定の識別情報としては、Ｆコード、中継配信先が登録できる中継箱管理情報機能を備えている。また、セキュリティ用パスワード機能を備えており、所定の記憶手段にパスワードがユーザ操作等により登録されている。
【００３１】
図２は、本実施形態のファクシミリ装置における中継同報通信システムの構成を示している。
【００３２】
中継局３１には、中継箱３２が設けられている。中継局３１において、中継箱３２に格納されている画像データを送信する複数の配信局３３（Ａ、Ｂ、ＣおよびＤ局）が登録されている。
【００３３】
指示局３０のユーザが、配信局３３（Ａ、Ｂ、ＣおよびＤ局）を配信先とし、かつ中継局３１を利用した画像データの中継同報通信を行いたい場合には、指示局３０に対して、ユーザが中継箱３２の箱番号３４を指定してファクシミリ中継同報送信を行うことによって、指示局３０から中継局３１に対して中継箱３２の箱番号３４とともに画像データが送信される。
【００３４】
中継箱３２は、画像メモリ１４を利用して、複数設けられており、それぞれの中継箱３２には、各々の中継箱３２を管理するために、図３に示すような中継箱管理情報が作成され、ＲＡＭ１３に記憶されている。この中継箱管理情報は、中継箱３２を区別するために、所定の識別情報として箱番号３４（Ｆコードの値が入る）、配信先をあらわす配信先情報３５からなる。なお、ＯＴは、ワンタッチダイヤルキーを表し、配信先の入力方式の種別および相手先のダイヤル番号などからなる。
【００３５】
なお、実際の画像データは、画像メモリ１４に格納され、格納した画像データを管理するための図示しない画像データ管理情報に、その画像データがいずれの中継箱３２に属するものであるかを指定する情報を付加し、画像データの格納などが管理される。
【００３６】
また、指示局３０より中継送信が指示されると、そのとき指定された中継箱３２に登録されている配信先情報３５を取り出して、図示しない、配信用送信管理情報を作成する。
【００３７】
この配信用送信管理情報は、中継送信する画像データファイルを記憶するための画像データファイル番号、中継送信する配信先情報３５からなる。
【００３８】
これに対して、中継局３１は、中継同報であるので受信した画像データを一旦中継箱３２に格納し、その後、配信先指定番号により指定された配信用送信管理情報テーブルを作成し、このテーブルに基づき、指定された中継箱３２に登録されている配信先のＡ局、Ｂ局、Ｃ局およびＤ局に、格納している画像データを中継配信する。
【００３９】
さて、本発明では、中継箱３２を指定する際、その中継箱３２に含まれている複数の配信先のうち、任意のもを指定することができる。
【００４０】
たとえば、信号ＳＵＢ（サブアドレス）を用いる場合、配信先指定は、次のようなフォーマットが適用される。
【００４１】
「（Ｆコード）＊（配信先指定番号♯１）＊・・＊（配信先指定番号♯ｎ）」ここで、「配信先指定番号」とは、当該Ｆコードの中継箱３２における中継配信先情報のうち配信先として指定する対象をあらわす。
【００４２】
たとえば、中継箱３２の箱番号が「０１」の中継箱３２に３個の配信先情報３５として、種別として、ワンタッチダイヤル「ＯＴ１」、「ＯＴ２」、「ＯＴ３」が登録されている場合、信号ＳＵＢのファクシミリ情報５５に「０１＊ＯＴ１＊ＯＴ２」という内容が指定されていた場合、１番目の配信先情報３５（ＯＴ１）と２番目の配信先情報３５（ＯＴ２）が配信先に指定されたことになる。
【００４３】
さらに、箱番号３４が「０２」の中継箱３２に３個の配信先情報３５として、メモリダイヤル「ＡＢＢ１」，「ＡＢＢ２」、「ＡＢＢ３」が登録されている場合、信号ＳＵＢのファクシミリ情報５５に「００２＊ＡＢＢ２」という内容が指定されていた場合、２番目の配信先情報３５が配信先に指定されたことになる。
【００４４】
同様に、箱番号３４の「０３」には、「ＧＲ１」が登録されている場合、信号ＳＵＢのファクシミリ情報５５に「０３＊ＧＲ１」という内容が指定されていた場合、ダイヤル番号：７７７７７７とＯＴ３に配信先に指定されたことになる。
【００４５】
また、中継箱３２に配信先がメモリされていない場合は、直接ダイヤル入力方式で「７６８８８８」をテンキーで入力する。
【００４６】
したがって、中継局３１として利用する場合、指示局３０のユーザによりＦコード、個別配信先指定による配信先番号が操作入力されると、送信時、Ｆコードおよび配信先指定情報をセットした信号ＳＵＢを作成して、中継局３１へ送信する。
【００４７】
このとき、ユーザが配信先方法として全指定を選択した場合には、信号ＳＵＢのファクシミリ情報５５にはＦコードのみが含まれる。また、ユーザが個別配信先を選択した場合には、信号ＳＵＢのファクシミリ情報５５には、上述したフォーマットで、Ｆコードと、そのときの個別配信先して操作入力された配信先番号に対応した配信先指定番号が含まれる。
【００４８】
中継局３１は、指示局３０より信号ＳＵＢを受信すると、そのファクシミリ情報５５の内容を解析し、Ｆコードのみか、Ｆコードと宛先指定番号が含まれ、かつその宛先指定方法に矛盾がないかを調べる。
【００４９】
そして、Ｆコードと宛先指定番号が含まれかつ、その宛先指定方法に矛盾がない場合には、そのＦコードに対応した中継箱３２にに登録されている配信先のうち、配信先指定番号で指定された配信先を選択し、上述した配信用送信管理情報を作成し、その作成した配信用送信管理情報に基づいて、受信して格納した画像データを中継送信する。
【００５０】
このようにして、本実施例では、複数の配信先を含む中継箱３２のうち、中継送信を実際に行う配信先を個別指定することができるので、非常に便利でありＦコード配信機能をより効果的にすることができる。
【００５１】
図４は、図２に示す指示局３０と中継局３１間の通信手順の信号シーケンスを示す図である。
【００５２】
指示局３０からパスワード情報「１２３４」を用いて、配信先「ＯＴ１、ＯＴ２」、「ＡＢＢ１」、「ＧＲ１」、「直接ダイヤル：７６８８８８」に中継同報する一例を示す。なお、中継局３１には、セキュリティコード「１２３４」が設定されている。
【００５３】
図に示す手順は、１ページの画像を指示局３０から中継局３１へ送信する最も基本的な手順である。まず、指示局３０と中継局３１が接続されると、通常のファクシミリ通信手順が開始される。
【００５４】
中継局３１は非標準機能識別信号（ＮＳＦ信号）および発呼端末識別信号（ＣＳＩ信号）を指示局３０に送信し、さらに信号ＳＵＢ（サブアドレス）および信号ＳＩＤ（パスワード）を受け付けることを示すディジタル識別信号（ＤＩＳ信号）を指示局３０に送信する。
【００５５】
指示局３０の制御部（ＣＰＵ１１）は、パスワードを示すパスワード（伝送）信号ＳＩＤの情報フレーム５５にパスワード番号「１２３４」を設定して中継局３１に送信する。
【００５６】
中継局３１は、指示局３０から受信したＳＩＤ信号のファクシミリ情報５５に設定されたパスワードと、自局のパスワード記憶手段に設定されているパスワードとが一致することを確認し、中継局３１へのアクセスを許可する。なお、パスワードが設定されていない場合は、どのようなパスワードを受信しても、あるいはパスワードを受信しなくても、中継局３１の中継箱３２へのアクセスを許可する。
【００５７】
この後、指示局３０は、信号ＳＵＢのファクシミリ情報５５に箱番号＊配信先指定番号（「０１＊ＯＴ１＊ＯＴ２」）を格納して中継局３１に送信する。
【００５８】
さらに、指示局３０は、ＳＵＢ信号のファクシミリ情報５５に同様に（「０２＊ＡＢＢ２」）を格納して中継局３１に送信する。
【００５９】
さらに、指示局３０は、ＳＵＢ信号のファクシミリ情報５５に同様に（「０３＊ＧＲ１」）を格納して中継局３１に送信する。
【００６０】
また、指示局３０は、中継局３１に登録されていない配信先への配信は、直接ダイヤル「７６８８８８」をテンキーで入力して中継局３１に送信することができる。
【００６１】
この後、ディジタル命令信号（ＤＣＳ信号）を送出した後、高速モデムに切り替えるため、この後、指示局３０と中継局３１との間で、モデム間調整のトレーニング信号（ＴＣＦ信号）を送出する。
【００６２】
そして、モデムの調整が終了すると、中継局３１は、メッセージ受信準備ができたことを示す受信準備確認信号（ＣＦＲ信号）を指示局３０に送出する。指示局３０がＣＦＲ信号を受信され、引き続いて指示局３０から中継局３１へと画像データであるＰＩＸを送信する。中継局３１では、この画像データＰＩＸを先にアクセス許可した中継局３１に格納する。
【００６３】
通信が終了すると、指示局３０から、ファクシミリ制御手順終了信号ＥＰＯが送信され、これに応答して中継局３１からメッセージ確認信号ＭＣＦが指示局３０に対し送信され、これに応答して指示局３０から切断命令信号ＤＣＮが中継局３１に送信される。
【００６４】
このようにして、Ｆコードに対応した中継箱３２に登録されている中継配信先のうち、配信先指定番号で指定された中継配信先を選択し、かつ直接ダイヤルで入力した情報に基づき、配信用送信管理情報を作成し、その作成した配信用送信管理情報に基づき、受信して格納した画像データを中継送信する。
【００６５】
図５は、図４で述べたＳＵＢおよびＳＩＤコマンド形式と情報データの使用法を述べる。通信制御手順の通信プロトコルは、図に示したようなフォーマットを有するハイレベル・デ−タリンク制御手順（ＨＤＬＣ）のフレーム構成が採用されている。
【００６６】
ＨＤＬＣフレームは、同一のビットパターンからなる開始符号５１および終了符号５７の間にアドレス５２、制御部５３、ファクシミリ制御５４、ファクシミリ情報５５および誤りチェック符号５６が配置されたフレームである。ファクシミリ制御５４とファクシミリ情報５５とを情報フィールド５８という。本実施例ではファクシミリ制御５４には、信号ＳＵＢ，信号ＳＩＤをファクシミリ情報５５には、Ｆコード、配信先等が格納されるようになっている。
【００６７】
なお、本発明は、前記実施の形態に限定されるものでない。また、前記ファクシミリ装置のみについて説明したが、ファクシミリ機能を有する通信装置および情報処理装置に適用してもよい。
【００６８】
【発明の効果】
以上、説明したように、本発明によれば、中継箱に登録されている複数の中継配信先うち、個別に配信先を指定できるようにした。
【図面の簡単な説明】
【図１】本発明に係る一実施形態であるファクシミリ装置の構成を示すブロック図である。
【図２】本実施形態のファクシミリ中継網の一例を示すブロック図である。
【図３】本実施形態における中継局の中継箱管理情報を示す。
【図４】本実施形態のファクシミリ通信制御手順を示す。
【図５】本実施形態に用いるＨＤＬＣフレーム構成を示す。
【図６】従来のファクシミリ中継網の一例を示すブロック図である
【符号の説明】
１１  ＣＰＵ
１２  ＲＯＭ
１３  ＲＡＭ
１４  画像メモリ
３０  指示局
３１  中継局
３２  中継箱
３３  配信局
３４  箱番号（所定の識別情報）
３５  配信先情報
５５  ファクシミリ情報
【図１】
2004207984.tif 000003
【図２】
2004207984.tif 000004
【図３】
2004207984.tif 000005
【図４】
2004207984.tif 000006
【図５】
2004207984.tif 000007
【図６】
2004207984.tif 000008